(57)【要約】      （修正有）【課題】製造費用が節約できるカードコネクタを提供する。【解決手段】前面１０と、前面１０から凹んだ挿入溝１２とを含む絶縁性本体１と、絶縁性本体１に挿入される複数の導電端子と、絶縁性本体１に上下移動可能に装着され、絶縁性本体１の挿入溝に延在する導入部と、を有する可動部材３と、絶縁性本体１を覆うハウジング７と、を備え、ハウジング７には前記可動部材３を駆動可能な弾力片７１０が一体に形成される。これにより、カードコネクタの構造が簡単になるとともに、製造費用が安価になる。【選択図】図３
0003151720.tif 000002
【実用新案登録請求の範囲】
【請求項１】
前面と、該前面から凹んだ挿入溝とを含む絶縁性本体と、
該絶縁性本体に挿入される複数の導電端子と、
前記絶縁性本体に上下移動可能に装着され、前記絶縁性本体の挿入溝に延在する導入部と、を有する可動部材と、
前記絶縁性本体を覆うハウジングと、を備え、
前記ハウジングには前記可動部材を駆動可能な弾力片が一体に形成されていることを特徴とするカードコネクタ。
【請求項２】
前記ハウジングには頂壁と一対の側壁とを含む複数の壁部が設けられ、前記弾力片が前記壁部に設けられ、前記弾力片には、前記ハウジングの壁部と連接する突出部が設けられることを特徴とする請求項１に記載のカードコネクタ。
【請求項３】
前記弾力片の端部には前記可動部材に当接する押圧部が設けられ、前記可動部材には前記弾力片の押圧部を収納するための凹所が形成されることを特徴とする請求項１または２に記載のカードコネクタ。
【請求項４】
前記可動部材が前記ハウジングの弾力片と前記絶縁性本体の間に挟まれ、前記可動部材には上向きに突出する当接部が設けられ、前記絶縁性本体には前記可動部材の当接部を越す第１制限部が設けられ、該第１制限部は前記可動部材の当接部の外側に前記前面の近傍に配置され、前記可動部材が前記前面に向かって移動することを制限することを特徴とする請求項１〜３のいずれか一項に記載のカードコネクタ。
【請求項５】
前記挿入溝は、第１電子カードを収納するための第１挿入溝と、第２電子カードを収納するための第２挿入溝とを含み、前記可動部材が、前記第１、第２挿入溝の間に配置される連接部と、前記連接部の両端に設けられる一対の導入部とを有し、前記導入部が前記第１挿入溝に対応する第１導入面と、第２挿入溝に対応する第２導入面とを含み、前記絶縁性本体には前記導入部を収納する収納穴が形成されることを特徴とする請求項１に記載のカードコネクタ。
【請求項６】
前記導電端子が第１、第２端子グループを有し、該第１、第２端子グループが、それぞれ前記第１、第２挿入溝に収納される接触部と、前記絶縁性本体から延出する半田接続部とを有し、前記カードコネクタが可動板を含み、該可動板の上表面が前記第１端子グループの接触部より高く、前記第２挿入溝が前記可動板の上に形成されることを特徴とする請求項５に記載のカードコネクタ。
【請求項７】
前記可動板には前記第２端子グループの接触部を収納するための開放溝が形成され、前記各開放溝には前記第２端子グループの接触部を前記第２挿入溝に向かって駆動する駆動部が設けられることを特徴とする請求項６に記載のカードコネクタ。
【請求項８】
前記カードコネクタが前記絶縁性本体に装着される排出機構を含み、前記排出機構がスライダーと、該スライダーを駆動する弾力部材と、前記スライダーと前記絶縁性本体との間に配置されるポールとを有し、前記スライダーには可動板に当接して該可動板を駆動する第１当接部が設けられることを特徴とする請求項７に記載のカードコネクタ。
【請求項９】
前記可動板が第１挿入溝に挿入して第１電子カードを当接できることを特徴とする請求項８に記載のカードコネクタ。
【考案の詳細な説明】
【技術分野】
【０００１】
本考案は、カードコネクタに関し、特に、コンピュータ、デジタルカメラ等各種電子機器に使用された電子カードが挿入されたカードコネクタに関するものである。
【背景技術】
【０００２】
従来技術のカードコネクタは、挿入溝が形成される絶縁性本体と、絶縁性本体に挿入される複数の導電端子と、上下移動可能に絶縁性本体に装着される可動板と、一対の弾力片と、絶縁性本体を覆う蓋体とを備える。挿入溝は互いに重ねる第１、第２挿入溝を含む。第１挿入溝が第２挿入溝より広く、ＸＤ（ＸＤ−Ｐｉｃｔｕｒｅ）カードを収納する。第２挿入溝がＭＳ（Ｍｅｍｏｒｙ  Ｓｔｉｃｋ）カード及びＳＤ（Ｓｅｃｕｒｅ  Ｄｉｇｉｔａｌ）カードなどの電子カードを収納する。可動板が第１、第２挿入溝の間に配置される。前記弾力片は、一端が絶縁性本体に当接し、他端が可動板を押圧する。電子カードが対応する挿入溝に挿入している過程で、第２挿入溝が弾力片によって広大されて電子カードを導入し易い。ＸＤカードが挿入された後、可動板がＸＤカードに弾力的に当接することによってＸＤカードを固持する。  
【特許文献１】中国実用新案第２８５４８５９号明細書
【考案の概要】
【考案が解決しようとする課題】
【０００３】
前記弾力片が絶縁性本体に装着される独立した部材である。これにより、製造が複雑になるとともに、製造費用が高価になる。
【０００４】
そこで本考案は、上述される従来技術の問題に鑑み、製造費用が節約できるカードコネクタを提供することを目的とする。
【課題を解決するための手段】
【０００５】
前記目的を達成するために、本考案のカードコネクタは、前面と、その前面から凹んだ挿入溝とを含む絶縁性本体と、絶縁性本体に挿入される複数の導電端子と、絶縁性本体に上下移動可能に装着され、絶縁性本体の挿入溝に延在する導入部と、を有する可動部材と、絶縁性本体を覆い、ハウジングと一体に形成されて前記可動部材を駆動可能な弾力片と、を含むハウジングとを備える。
【考案の効果】
【０００６】
従来技術と比べると、本考案は以下の長所を有する。本考案の弾力片がハウジングに一体に形成される。これにより、カードコネクタの構造が簡単になるとともに、製造費用が安価になる。
【図面の簡単な説明】
【０００７】
【図１】本考案のカードコネクタが回路基板に装着される組立図である。
【図２】図１に示すカードコネクタの組立図である。
【図３】図２に標号される部分の拡大図である。
【図４】図１に示すカードコネクタの部分的な分解視図である。
【図５】図１に示すカードコネクタの分解斜視図である。
【図６】図１に示すカードコネクタを別の角度から見た分解斜視図である。
【図７】図１に示すカードコネクタの可動部材の斜視図である。
【図８】第１電子カードがカードコネクタに挿入された状態の斜視図である。
【図９】第２電子カードがカードコネクタに挿入された状態の斜視図である。
【図１０】第３電子カードがカードコネクタに挿入された状態の斜視図である。
【考案を実施するための形態】
【０００８】
図１〜図１０を参照すると、回路基板２００に装着されるカードコネクタ１００は、少なくとも第１、第２、第３電子カード３００，４００、５００が挿入されることに用いられる。カードコネクタ１００は、絶縁性本体１と、複数の導電端子２と、上下移動可能な可動部材３と、カード挿入方向に沿ってスライドする可動板４と、排出機構５と、スイッチ端子グループ６と、絶縁性本体１に装着される絶縁板１６と、絶縁性本体を覆うハウジング７とを備える。第１電子カード３００は、第２、第３電子カード２００，３００より広い。本実施状態において、第１電子カード３００がＸＤカード３００であり、第２電子カード４００がＳＤカード４００であり、第３電子カード５００がＭＳカード５００である。
【０００９】
図３〜図６に示すように、絶縁性本体１は端子溝１１１が形成される基部１１と、基部１１の両側に設置される一対の側壁１３と、底壁１４と、基部１１と側壁１３と底壁１４によって包囲される挿入溝１２と、挿入溝１２の前端に形成される前面１０とを備える。挿入溝１２が、互いに重なる第１挿入溝１２１と、第２挿入溝１２２とを含む。基部１１には、上向きに突出する複数の位置決め柱１１２が設けられる。基部１１には、挿入方向に沿って延在する複数のスロット１１１が形成される。第１挿入溝１２１が第１電子カード３００を収納するための挿入溝であり、第２挿入溝１２２が第２、第３電子カード４００，５００を収納するための挿入溝である。
【００１０】
絶縁性本体１の側壁１３には、可動部材３を収納するための収納穴１５が形成される。前記側壁１３には、前記収納穴１５と貫通する貫通孔１３０が形成される。前記側壁１３には、前記収納穴１５に向かって突出する第１、第２制限部１５１，１５２が設けられる。第１制限部１５１と第２制限部１５２とは、それぞれ収納穴１５の前後に設けられる。第１制限部１５１が前記相手面１０から内へ延在する。第２制限部１５２は、互いに連接する第１突出部１５２１と第２突出部１５２２とを含む。第１突出部１５２１が、第２突出部１５２２の上に配置される。第１、第２突出部１５２１，１５２２の底面とは、面一になる。
【００１１】
絶縁性本体１の右側の側壁１３には、収納溝１３２が形成される。絶縁性本体１の左側の側壁１３には、スイッチ端子グループ６を固持するための複数の固持溝１３３が形成される。側壁１３の外側には、複数の係合部片１３４が設けられる。前記底壁１４には、前記収納穴１５に向かって延在するフランジ１４０が設けられる。底壁１４には、第２制限部１５２とフランジ１４０の後に配置されるスライド溝１４２が形成される。スライド溝１４２が、前記収納溝１３２の内側に形成される。底壁１４のスライド溝１４２の後端には、前記基部１１の端子溝１１１と貫通するスロット１４１が形成される。底壁１４の下表面には、絶縁板１６に対応する固定溝１４３が形成される。固定溝１４３には、絶縁板１６に設けられる複数の凹孔１６０に対応する複数の凸柱１４３０が設けられる。
【００１２】
導電端子２は、絶縁板１６にインサートモールドによって装着される第１端子グループ２１と、絶縁性本体１に挿入される第２、第３端子グループ２２，２３とを備える。第１、第２、第３端子グループ２１，２２，２３の各端子が、固持部２１１、２２１、２３１と、固持部２１１から弾力に延在する接触部２１３、２２３，２３３と、固持部２１１，２２１、２３１の末端から折り曲げられた半田接続部２１２，２２２，２３２とを含む。
【００１３】
図７に示すように、可動部材３が橋状な連接部３１と、連接部３１の両端に設けられる一対の導入部３２とを有する。連接部３１の前端には、それぞれ下表面と上表面に形成される第１、第２傾斜面３１１、３１２が設けられる。各導入部３２には、当接部３２４と、傾斜した第１、第２、第３導入面３２１，３２２，３２３が設けられる。第３導入面３２３は、第１、第２導入面３２１，３２３の間に配置され、第１、第２導入面３２１，３２２と略垂直に連接する。各導入部３２の外側には複数の凸状部片３２６が設けられる。導入部３２の上表面には、当接部３２４を含む凹所３２５が形成される。
【００１４】
図５に示すように、可動板４は、平板状の底板４１と、底板４１の両側に設けられる一対の位置決め部４２とを備える。位置決め部４２は、阻止部４２３と、その阻止部４２３と隣接する凹部４２２とを含む。阻止部４２３の後端には、後に向かって突出する凸状部片４２４が設けられる。底板４１には、複数のくし部４１２が設けられる。二つのくし部４１２の間には開放溝４１１が形成される。開放溝４１１の内には駆動部４１３が設けられる。
【００１５】
図５に示すように、排出機構５は、スライダー５１と、コイルバネ５２と、ポール５３とを備える。スライダー５１は、可動板４と当接して可動板４を駆動する第１当接部５１１と、横に突出する第２当接部５１２と、第１当接部５１１と連接する支持部５１３とを含む。
【００１６】
図５に示すように、スイッチ端子グループ６は、第１、第２、第３スイッチ端子６１，６２，６３とを含む。第２スイッチ端子６２は、第１スイッチ端子６１と第３スイッチ端子６３との間に配置される。第２スイッチ端子６２と第３スイッチ端子６３とは、それぞれ第１スイッチ端子６１と接触しない。
【００１７】
図３〜図６に示すように、ハウジング７は、頂壁７１と、頂壁７１から延在する一対の側壁７２とを含む。頂壁７１には、下向きに延在する弾力片７１０が設けられる。弾力片７１０には、頂壁７１と連接する突出部７１２が設けられる。弾力片７１０の端部には押圧部７１１が設けられる。ハウジング７の側壁７２には、前記絶縁性本体１の係合部片１３４と係合する複数の係合孔７２０が形成される。ハウジング７には、頂壁７２から上向きに突出した半田接続足７２１が設けられる。他の実施状態において、弾力片７１０がハウジング７の側壁７２に設けられることができる。
【００１８】
図１〜図８に示すように、カードコネクタ１００を取り付ける時、先ず、排出機構５と、可動板４と、スイッチ端子グループ６とは絶縁性本体１に装着される。排出機構５が絶縁性本体１の側壁１３の収納溝１３２に収納される。排出機構５のスライダー５１の第２当接部５１２が挿入溝１２に向かって突出する。可動板４は挿入溝１２に収納される。可動板４の位置決め部４２が絶縁性本体１の第１挿入溝１２１に配置され、凸状部片４２４がスライダー５１の支持部５１３を下向きに押圧する。スイッチ端子グループ６の第１、第２、第３スイッチ端子６１，６２，６３とは絶縁性本体１の固持溝１３３に固持される。
【００１９】
次に、導電端子２が絶縁性本体１に挿入される。第１端子グループ２１が第１挿入溝１２１に挿入される。第１端子グループ２１の接触部２１３が第１挿入溝１２１に向かって突出する。第２端子グループ２２が第１挿入溝１２１に挿入される。第１端子グループ２１が、第２端子グループ２２より、前面１０に近い側に配置される。第２端子グループ２２の接触部２２３は、可動板４の駆動部４１３を下向きに押圧し、開放溝４１１に部分的に収納される。第３端子グループ２３が、絶縁性本体１の端子溝１１１に挿入され、接触部２３３がスロット１４１から突出する。第３端子グループ２３の接触部２３３が、第２端子グループ２２の接触部２２３より、高い位置に配置される。可動板４がカード挿入方向に沿って挿入される時、駆動部４１３の駆動によって、第２端子グループ２２の接触部２２３が第２挿入溝１２２に向かって突出する。第１、第２、第３端子グループ２１，２２，２３の半田接続部２１２，２２２，２３２が絶縁性本体１から延出する。
【００２０】
次に、可動部材３が絶縁性本体１の挿入溝１２に上下移動可能に装着される。可動部材３の導入部３２が絶縁性本体１の収納穴１５に挿入される。絶縁性本体１の挿入溝１２は、可動部材３の連接部３１によって、第１挿入溝１２１及び第１挿入溝１２１の上に配置される第２挿入溝１２２が形成される。第１挿入溝１２１の高さは、ＳＤカード４００の厚さより、ＭＳカード５００の厚さより小さい。絶縁性本体１の第２突出部１５２２の下表面が第１制限部１５１の下表面と実質的に同じ高さに位置する。可動部材３が上下移動の過程で、第１制限部１５１が下向きに延在して第２当接部３２４を越す。これにより、第２当接部３２４が第１制限部１５１によって制限され、導入部３２が収納穴１５から離れることを防止できる。
【００２１】
最後に、ハウジング７で絶縁性本体１を遮蔽する。ハウジング７の側壁７２は絶縁性本体１の側壁１３を遮蔽する。ハウジング７の係合孔７２０が絶縁性本体１の係合部片１３４と係合する。ハウジング７の弾力片７１０が絶縁性本体１の側壁１３の貫通孔１３０を貫通して可動部材３の導入部３２に当接する。可動部材３が弾力片７１０と絶縁性本体１との間に配置される。カードコネクタ１００が一体に実装される。
【００２２】
図８に示すように、第１電子カード３００がカードコネクタ１００に挿入される時、第１電子カード３００が導入部３２の第１、第３導入面３２１，３２３及び第１傾斜面３１１に沿って第１挿入溝１２１に挿入され、第１端子グループ２１の接触部２１３と電気接続される。同時に、可動部材３が第１電子カード３００に上向きに推される。第１電子カード３００の挿入と伴って、可動板４及び排出機構５が後向きに移動する。第１電子カード３００が所定の位置まで到達する時、弾力片７１０の駆動によって、可動部材３が下向きに移動して第１電子カード３００を弾力に当接する。又、可動板４は、排出機構５によって元の位置まで引き返して、第１電子カード３００を排出する。
【００２３】
図９に示すように、第２電子カード４００がカードコネクタ１００に挿入される時、第２電子カード４００の厚さが第１挿入溝１２１の高さより大きく、第２電子カード４００が可動部材３に阻止されることによって第１挿入溝１２１に挿入できない。第２電子カード４００が可動部材３の第２導入面３２２及び第２傾斜面３１２に沿って第２挿入溝１２２に挿入される。第２電子カード４００の側辺が可動板４の位置決め部４２の凹部４２２に嵌合される。第２電子カード４００が位置決め部４２の阻止部４２３を推し進める時、可動板４と排出機構５と一緒に後向きに移動する。駆動部４１３が第２端子グループ２２の接触部２２３を上向きに押圧することによって、第２電子カード４００が第２端子グループ２２の接触部２２３と電気接続する。第２電子カード４００がさらに推し進める時、可動板４が排出機構５の駆動によって引き返して、第２電子カード４００を排出する。
【００２４】
図１０に示すように、第３電子カード５００がカードコネクタ１００に挿入される時、第３電子カードの厚さが第１挿入溝１２１の高さより大きく、第３電子カード４００が可動部材３に阻止されることによって、第１挿入溝１２１に挿入できない。第３電子カード４００が、可動部材３の第２導入面３２２と第２傾斜面３１２に沿って、第２挿入溝１２２に挿入される。第３電子カード５００の側辺が可動板４の凹部４２２に収納され、排出機構５の当接部５１２に当接する。第３電子カード５００と排出機構５とは所定の位置まで到達する時、第３電子カード５００が第３端子グループ２３の接触部２３３と電気接続される。第３電子カード５００を推し進める時、排出機構５の第２当接部５１２が引き返し、第３電子カード５００を排出する。
【００２５】
第３電子カード５００を挿入と排出する過程で、可動板４が移動しない。第２端子グループ２２の接触部２２３が可動板４の開放溝４１１に収納され、第３電子カード５００にわずかに弾力的に押圧する。これにより、第３電子カード５００が第２端子グループ２２の接触部２２３を破損することを防止できる。又、第１端子グループ２１の接触部２１３が可動板４の下側に位置し、第２．第３電子カード４００，５００が接触部２１３と接触することを防止できる。
【００２６】
本考案のカードコネクタ１００が可動部材３を具備する。第１、第２、第３電子カード３００，４００，５００が、可動部材３によって対応する挿入溝１２に挿入される。弾力片７１０が可動部材３を当接することによって、第２、第３電子カード４００、５００が容易に挿入される。弾力片７１０がハウジング７に一体に形成される。これにより、カードコネクタ１００の構造が簡単になるとともに、製造費用が安価になる。
【００２７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２８】
１００  カードコネクタ
２００  回路基板
３００  ＸＤカード
４００  ＳＤカード
５００  ＭＳカード
１  絶縁性本体
１０  前面
１１  基部
１１１  端子溝
１１２  位置決め柱
１２  挿入溝
１２１  第１挿入溝
１２２  第２挿入溝
１３  側壁
１３０  貫通溝
１３２  収納溝
１３３  固持溝
１３４  係合部片
１４  底壁
１４０  フランジ
１４１  スロット
１４２  スライド溝
１４３  固定溝
１４３０  凸柱
１５  収納穴
１５１  第１制限部
１５２  第２制限部
１５２１  第１突出部
１５２２  第２突出部
１６  絶縁板
１６０  凹孔
２  導電端子
２１  第１端子グループ
２１１、２２１、２３１  固持部
２１２，２２２，２３２  半田接続部
２１３、２２３、２３３  接触部
２２  第２端子グループ
２３  第３端子グループ
３  可動部材
３１  連接部
３１１  第１傾斜面
３１２  第２傾斜面
３２  導入部
３２１  第１導入面
３２２  第２導入面
３２３  第３導入面
３２４  当接部
３２５  凹所
３２６  凸状部片
４  可動板
４１  底板
４１１  開放溝
４１２  くし部
４１３  駆動部
４２  位置決め部
４２２  凹部
４２３  阻止部
４２４  凸状部片
５  排出機構
５１  スライダー
５１１  第１当接部
５１２  第２当接部
５１３  支持部
５２  コイルバネ
５３  ポール
６  スイッチ端子グループ
６１  第１スイッチ端子
６２  第２スイッチ端子
６３  第３スイッチ端子
７  ハウジング
７１  頂壁
７１０  弾力片
７１１  押圧部
７１２  突出部
７２０  係合孔
７２１  半田接続足
７２  側壁
【図１】
0003151720.tif 000003
【図２】
0003151720.tif 000004
【図３】
0003151720.tif 000005
【図４】
0003151720.tif 000006
【図５】
0003151720.tif 000007
【図６】
0003151720.tif 000008
【図７】
0003151720.tif 000009
【図８】
0003151720.tif 000010
【図９】
0003151720.tif 000011
【図１０】
0003151720.tif 000012